(57)【特許請求の範囲】
【請求項１】
電気機械ハイブリッドゲームであって、
ギャンブルゲームに対して現実世界クレジットの一つ以上のランダムに生成された結果を提供するように構成された現実世界エンジンを備える前記電気機械ハイブリッドゲームのギャンブルゲームと、
前記電気機械ハイブリッドゲームのエンターテイメントゲームであって、前記エンターテイメントゲームは、
電気機械テーブルゲームを管理する電気機械ゲームシステムであって、前記電気機械テーブルゲームは、
前記電気機械テーブルゲームの要素をゴールに向けることにより前記電気機械テーブルゲームにおいてプレーヤーがゴールを決めるゴールであって、前記要素は前記電気機械テーブルゲームの一面に沿って可動な物理ゲームオブジェクトである、ゴールと、
前記電気機械テーブルゲームのゴールのゴールサイズに物理的に影響を与えるアクチュエータと、を含み、
前記電気機械テーブルゲームに対するスキルによる実行において、前記ゴールを使用してゴールを決める際にプレーヤーが行った行為が、ゲーム世界クレジットの一つ以上のエンターテイメントゲームの結果を生成する、電気機械ゲームシステムと、
前記電気機械テーブルゲームに対する前記スキルによる実行においてプレーヤーにより行われた行為を感知するように構成されたエンターテイメントゲーム用ユーザインタフェースと、
前記エンターテイメントゲームを管理し、前記電気機械テーブルゲームに対する前記プレーヤーのスキルによる実行においてプレーヤーにより行われた行為の感知に基づいて、前記一つ以上のエンターテイメントゲームの結果を前記ギャンブルゲームの現実世界エンジンに伝えるように構成されたゲーム世界エンジンであって、前記ゲーム世界エンジンは、プレーヤーを識別するプレーヤーアカウントを使用して前記電気機械ハイブリッドゲームとのプレーヤーによるやりとりを管理し、それにより、前記電気機械ハイブリッドゲームが特定のプレーヤーに関する情報を統合または処理することを可能にする、ゲーム世界エンジンと、を備え、
前記ゲーム世界エンジンから前記現実世界エンジンに伝えられた前記ゲーム世界クレジットの一つ以上のエンターテイメントゲームの結果は、前記ギャンブルゲームに対する、前記現実世界のクレジットの一つ以上のランダムに生成された結果を引き起こし、
前記電気機械ゲームシステムは、前記ギャンブルゲームに対する、前記現実世界のクレジットの一つ以上のランダムに生成された結果の結果種別に基づき、
前記結果種別が前記ギャンブルゲームの負け結果の際に前記ゴールサイズを小さくし、
前記結果種別が前記ギャンブルゲームの勝ち結果の際に前記ゴールサイズを大きくする、
ように前記アクチュエータを動作させるように構成される、エンターテイメントゲームと、
を備える、電気機械ハイブリッドゲーム。
【請求項２】
前記エンターテイメントゲーム用ユーザインタフェースは、前記一つ以上のエンターテイメントゲームの結果を表示するように構成される、請求項１に記載の電気機械ハイブリッドゲーム。
【請求項３】
前記電気機械テーブルゲームの一つ以上のエンターテイメントゲームの結果は追加的ゲームプレーのために使用される少なくとも一つの要素の消費に基づき、前記プレーヤーによる行為は、前記少なくとも一つの要素の消費に影響を与える前記プレーヤーが取った選択である、請求項１に記載の電気機械ハイブリッドゲーム。
【請求項４】
前記アクチュエータは、前記エンターテイメントゲームの所定の難易度に応じて様々に動作する、請求項１に記載の電気機械ハイブリッドゲーム。
【請求項５】
前記電気機械ゲームシステムは、前記ギャンブルゲームが負け結果である前記結果種別の際に前記エンターテイメントゲームの所定の難易度を上げるように前記アクチュエータを動作させるように構成される、請求項１に記載の電気機械ハイブリッドゲーム。
【請求項６】
前記電気機械ゲームシステムは、前記ギャンブルゲームが勝ち結果である前記結果種別の際に前記エンターテイメントゲームの所定の難易度を下げるように前記アクチュエータを動作させるように構成される、請求項１に記載の電気機械ハイブリッドゲーム。
【請求項７】
前記電気機械ハイブリッドゲームは、リモートサーバと通信するようにネットワーク接続される、請求項１に記載の電気機械ハイブリッドゲーム。
【請求項８】
前記電気機械ハイブリッドゲームは、現実世界エンジンサーバ、ゲーム世界パトロン管理サーバ、ゲーム世界エンジンサーバおよび電気機械ゲームシステムサーバから成る群から選択されるサーバと通信するようにネットワーク接続される、請求項７に記載の電気機械ハイブリッドゲーム。
【請求項９】
前記現実世界エンジンサーバは、前記ギャンブルゲームの現実世界エンジンと通信して前記ギャンブルゲームに対する前記一つ以上のランダムに生成された結果を提供するように構成される、請求項８に記載の電気機械ハイブリッドゲーム。
【請求項１０】
前記ゲーム世界エンジンサーバは、前記電気機械ハイブリッドゲームのゲーム世界エンジンと通信し、前記エンターテイメントゲームを管理し、前記電気機械テーブルゲームのスキルによる実行において前記プレーヤーが行う行為に基づいて、前記一つ以上のエンターテイメントゲームの結果を伝えるように構成される、請求項８に記載の電気機械ハイブリッドゲーム。
【請求項１１】
前記電気機械テーブルゲームはテーブルサッカーゲームであり、前記電気機械テーブルゲームの要素はボールであり、前記ゴールはネットである、請求項１に記載の電気機械ハイブリッドゲーム。
【請求項１２】
前記電気機械テーブルゲームはバスケットボールゲームであり、前記電気機械テーブルゲームの要素はボールであり、前記ゴールはバスケットボールリングである、請求項１に記載の電気機械ハイブリッドゲーム。
【請求項１３】
前記電気機械テーブルゲームはホッケーゲームであり、前記電気機械テーブルゲームの要素はパックであり、前記ゴールはホッケーゴールである、請求項１に記載の電気機械ハイブリッドゲーム。
【請求項１４】
前記電気機械テーブルゲームはエアホッケーゲームであり、前記電気機械テーブルゲームの要素はパックであり、前記ゴールはホッケーゴールである、請求項１に記載の電気機械ハイブリッドゲーム。
【発明の詳細な説明】
【技術分野】
【０００１】
（関連出願の相互参照）
本出願は、２０１１年９月３０日に出願された米国仮出願第６１/６２６,６５３号の利益を主張し、当該内容は参照によりその全体が本明細書に組み込まれる。
【０００２】
本発明は概ねゲームに関し、より詳細には電気機械ゲームを使用したスキルに基づくゲームに関する。
【背景技術】
【０００３】
従来より、ゲーム機製造業はギャンブルゲームを備えるゲーム機を開発してきた。ギャンブルゲームは典型的に賭けゲームであり、一般的にゲームの結果が（スロットマシーンなど）もっぱら運に依存するゲームである。賭けゲームは、ゲームの結果がゲームを行うプレーヤーのスキルに依存し得る技能ゲームと対照的である。ギャンブルゲームは典型的に対話型ではなく、ビデオゲームなどスキルゲームであるエンターテイメントゲームと同程度に高画質なグラフィックを含まない。
【発明の概要】
【０００４】
本発明の実施形態に係るシステムおよび方法は、電気機械（ＥＭ）ハイブリッドゲームを操作させる。一実施形態は、電気機械ハイブリッドゲームであって、ギャンブルゲームに対しランダムに生成された支払いを提供するように構成された現実世界エンジンと、エンターテイメントゲームとを備え、該エンターテイメントゲームは、電気機械ゲームの要素に物理的に影響を与えるアクチュエータを備える電気機械ゲームを管理する電気機械ゲームシステムであって、電気機械ゲームの結果が該電気機械ゲーム内で行われる機械的作用に基づく、電気機械ゲームシステムと、前記電気機械ゲームのプレー中に、該電気機械ゲームの結果に影響を与えるプレーヤーの行為を感知するエンターテイメントゲームのユーザインタフェースと、エンターテイメントゲームを管理し、プレーヤーのスキルによる実行に基づくゲームプレーのギャンブルイベントの発生をギャンブルゲームに伝えるゲーム世界エンジンとを備え、エンターテイメントゲームは、ギャンブルゲームに対するプレーヤーのスキルによる実行の際に結果を提供するように構成されており、ゲームプレーのギャンブルイベントの発生は、ギャンブルゲームに対するランダムに生成された支払いを引き起こし、電気機械ゲームシステムは、前記ギャンブルゲームに対する前記ランダムに生成された支払いの結果に基づいて前記アクチュエータを動作させるように構成される。
【０００５】
追加的な実施形態では、エンターテイメントゲームのユーザインタフェースはエンターテイメントゲームの結果を表示するように構成される。 
【０００６】
別の実施形態では、電気機械ゲームの結果は追加的ゲームプレーに使用される少なくとも一つの要素の消費に基づき、プレーヤーによる行為は少なくとも一つの要素の消費に影響を与える、ユーザが取った選択である。
【０００７】
さらに追加的な実施形態では、アクチュエータはエンターテイメントゲームの難易度の設定に応じて様々に動作する。 
【０００８】
さらに別の実施形態では、電気機械ゲームシステムは、ギャンブルゲームの負け結果の際にゲームの難易度を上げるようにアクチュエータを動作させるように構成される。
【０００９】
さらに追加的な実施形態では、電気機械ゲームシステムは、ギャンブルゲームの勝ち結果の際にゲームの難易度を下げるようにアクチュエータを動作させるように構成される。
【００１０】
さらに別の実施形態では、ゲーム世界エンジンは、電気機械ゲームに対するプレーヤーのスキルによる実行に基づいてゲーム世界クレジットを与えるように構成される。
【００１１】
追加的な実施形態では、電気機械ハイブリッドゲームは、リモートサーバと通信するようにネットワーク接続される。
【００１２】
別の実施形態では、電気機械ハイブリッドゲームは、現実世界エンジンサーバ、ゲーム世界パトロン管理サーバ、ゲーム世界エンジンサーバおよび電気機械ゲームシステムサーバから成る群から選択されるサーバと通信するようにネットワーク接続される。 
【００１３】
更なる追加的実施形態では、現実世界エンジンサーバは、ハイブリッドゲームの現実世界エンジンと通信して、ギャンブルゲームに対してランダムに生成された支払いを提供するように構成される。
【００１４】
別の追加的実施形態では、ゲーム世界エンジンサーバは電気機械ハイブリッドゲームのゲーム世界エンジンと通信してエンターテイメントゲームを管理し、プレーヤーのスキルによる実行に基づいてゲームプレーのギャンブルイベント発生をギャンブルゲームに伝えるように構成される。
【００１５】
さらに追加的な実施形態は、電気機械ハイブリッドゲームを動作させる方法を含み、該方法は、電気機械ハイブリッドゲームによりアクセスされたプレーヤーアカウントにおける現実世界クレジットの存在を検出することと、ゲームプレーのギャンブルイベントのためにゲーム世界エンジンを使用して電気機械ゲームシステムの動作を監視することと、ゲーム世界エンジンから現実世界エンジンにゲームプレーのギャンブルイベントを伝えることとであって、ゲーム世界エンジンは、ゲームプレーのギャンブルイベントに基づいて現実世界の賭け金からギャンブルゲームに対してランダムに生成された支払いを提供するように構成されている、ことと、ギャンブルゲームに対してランダムに生成された支払いの結果に基づいて電気機械ゲームの要素に物理的影響を与えるアクチュエータを動作させることとを含む。
【００１６】
さらに別の実施形態では、アクチュエータはギャンブルゲームの負け結果の際にゲームの難易度を上げるように動作される。
【００１７】
さらに追加的な実施形態では、アクチュエータはギャンブルゲームの勝ち結果の際にゲームの難易度を下げるように動作される。
【００１８】
さらに別の実施形態は、電気機械ゲームの結果をユーザインタフェースを介して表示することを含む。
【００１９】
更なる追加的実施形態では、電気機械ゲームの結果は追加的ゲームプレーのために使用される少なくとも一つの要素の消費に基づいており、前記プレーヤーによる行為は前記少なくとも一つの要素の消費に影響を与える、プレーヤーが取った選択である。
【００２０】
さらに別の追加的実施形態は、前記ゲーム世界エンジンを使用して、電気機械ゲームに対するプレーヤーのスキルによる実行に基づいてゲーム世界クレジットを与えることをさらに含む。
【００２１】
さらに追加的な実施形態は、プロセッサ命令を含む機械可読媒体であって、プロセッサによる命令の実行が該プロセッサにプロセスを実行させ、該プロセスは、プレーヤーアカウントにおける現実世界クレジットの存在を検出することと、電気機械ゲームに対するスキルによる実行を記録することであって、電気機械ゲームの結果は該電気機械ゲーム内で行われる機械的作用に基づく、ことと、ゲームプレーのギャンブルイベントのために電気機械ゲームシステムの動作を監視することと、ゲームプレーのギャンブルイベントの発生に基づいて現実世界のクレジットからギャンブルゲームに対する支払いをランダムに生成することと、ギャンブルゲームに対してランダムに生成された支払いの結果に基づいて電気機械ゲームの要素に物理的影響を与えるアクチュエータを動作させることとを含む。
【００２２】
さらに別の実施形態では、プロセッサ命令は、ギャンブルゲームの負け結果の際にゲームの難易度を上げるようにアクチュエータを動作させることを含む。 
【００２３】
更なる追加的実施形態では、プロセッサ命令は、ギャンブルゲームの勝ち結果の際にゲームの難易度を下げるようにアクチュエータを動作させることを含む。
【図面の簡単な説明】
【００２４】
【図１Ａ】本発明の一実施形態に係る電気機械（ＥＭ）ハイブリッドゲームを示す。
【図１Ｂ】本発明の一実施形態に係る電気機械ゲームシステム（ＥＧＳ）を示す。
【図２Ａ】本発明の一実施形態に係るネットワーク接続されたＥＭハイブリッドゲームを示す。
【図２Ｂ】本発明の一実施形態に係るネットワーク接続されたＥＭハイブリッドゲームのコンポーネント間の通信接続を示す。
【図３】本発明の一実施形態に係る、ＥＭハイブリッドゲームが利用されるプロセスを示す。
【図４】本発明の一実施形態に係る、ＥＭハイブリッドゲームで使用される処理装置のハードウェア・アーキテクチャ図を示す。
【００２５】
以下、図面を参照し、電気機械（ＥＭ）ハイブリッドゲームを動作させるためのシステムおよび方法を説明する。幾つかの実施形態では、ＥＭハイブリッドゲームは、ギャンブルゲームを管理する現実世界エンジン（ＲＷＥ）を備えるギャンブルゲームと、ゲームのエンターテイメント部分を管理するゲーム世界エンジン（ＧＷＥ）およびプレーヤーのエンターテイメントのためにＥＭゲームを実行する電気機械（ＥＭ）ゲームシステム（ＥＧＳ）を備えるエンターテイメントゲームとを統合したハイブリッドゲームの形態である。ＥＭゲームは、機械的および電気的コンポーネントを利用する任意のゲームとすることができ、ゲームは少なくとも一人のプレーヤーまたはＥＭゲーム自体により行われる機械的作用の組合せとして動作する。ＥＭゲームの例は、（限定されるものではないが）テーブルサッカー、テーブルホッケー、ビリヤード、テーブルテニス、エアホッケー、スキーボールおよびｐｏｐ−ａ−ｓｈｏｔアーケードバスケットボールを含む。ソフトウェアは、（限定されるものではないが）スコアの記録および表示、紙幣鑑別機の操作、ゲームのプレー完了時におけるチケットまたはクーポンの分配など限定的な役割を果たし得るが、プレーヤーは大部分はビデオ画面やソフトウェアシステムを介してゲームとやり取りをしないため、ＥＭゲームは他のアーケードゲームまたはビデオゲームと区別される。様々なハイブリッドゲームが、「カジノアプリケーションのための強化ゲームプレー環境(シングルおよび／またはマルチプレーヤー)（ENRICHED GAME PLAY ENVIRONMENT (SINGLE and/or MULTI-PLAYER) FOR CASINO APPLICATIONS）」と題する、２０１１年３月１に出願された特許協力条約による出願第ＰＣＴ／ＵＳ１１／２６７６８号、および「カジノアプリケーションのための改良スロットマシーン（ENHANCED SLOT-MACHINE FOR CASINO APPLICATIONS）」と題する２０１１年１２月６日に出願された特許協力条約による出願第ＰＣＴ／ＵＳ１１／６３５８７号で述べられており、各開示は参照によりその全体が本明細書に組み込まれる。
【００２６】
多くの実施形態では、ＥＭハイブリッドゲームはネットワーク接続され、リモートサーバ上にあるリソースにアクセスすることが可能である。これらのサーバは、ギャンブルゲームに対しランダムな結果を生成するＲＷＥサーバと、ＥＭハイブリッドゲームのプレーヤーアカウントを管理するＧＷパトロン管理サーバと、エンターテイメントゲームプレーを管理するＧＷＥサーバと、複数プレーヤーによるＥＭハイブリッドゲームプレーを管理するＥＧＳサーバとを備えることができる。 
【００２７】
特定の電気機械ハイブリッドゲームを上述したが、電気機械ハイブリッドゲームは、本発明の実施形態に係る特定のアプリケーションの要件に適した種々の方法で実装することができる。本発明の実施形態に係る電気機械ハイブリッドゲームを以下で詳述する。
【００２８】
電気機械ハイブリッドゲーム
多くの実施形態に従うＥＭハイブリッドゲームは、ギャンブルゲームによるギャンブル体験に、エンターテイメントゲームの高度なエンターテイメント内容を提供する。これらのＥＭハイブリッドゲームは、（遭遇する障害／課題、プレー時間および他の要因から判断されるように)プレーヤーのゲーム体験がプレーヤーのスキルによって形作られることを確保しつつ、プレーヤーのスキルから独立してランダムな結果を提供する。本発明の一実施形態に係るＥＭハイブリッドゲームを図１Ａに示す。ＥＭハイブリッドゲームは、ＲＷＥ１０２、ＧＷＥ１１２、ＥＧＳ１２０、ギャンブルゲーム用ユーザインタフェース１２２およびエンターテイメントゲーム用ユーザインタフェース１２４を備える。二つのユーザインタフェースは同一ユーザインタフェースの一部であってもよいが、図示の実施形態では分離している。ＲＷＥ１０２は、ＧＷＥ１１２およびギャンブルゲーム用ユーザインタフェース１２２に接続されている。ＥＧＳ１２０は、ＧＷＥ１１２およびエンターテイメントゲーム用ユーザインタフェース１２４に接続されている。ＧＷＥ１１２は、エンターテイメントゲーム用ユーザインタフェース１２４にも接続されている。 
【００２９】
幾つかの実施形態では、ＲＷＥ１０２はハイブリッドゲームのギャンブルゲームのためのオペレーティングシステムであり、ギャンブルゲームを制御し動作させる。ギャンブルゲームの動作は、現金等の金銭とすることができる現実世界クレジット（ＲＷＣ）により可能となり、ランダムなギャンブル結果に基づきリアルなギャンブルクレジットを増大および減少させ、ギャンブルゲームはゲームコントロール本体により典型的に制御される。多くの実施形態では、ＲＷＥは、現実世界（ＲＷ）オペレーティングシステム（ＯＳ）１０４、乱数生成器（ＲＮＧ）１０６、レベル「ｎ」の現実世界クレジット勘定テーブル（テーブルＬｎ−ＲＷＣ）１０８、ＲＷＣメータ１１０、および、公正でトランスペアレントなギャンブルゲームを提供し、ゲーム規制機関の認可が得られるゲームを可能とする監査可能なシステムおよび機能を含む運ゲームを可能とするその他のソフトウェア構成を備える。 
【００３０】
乱数生成器（ＲＮＧ）１０６は、ソフトウェアおよび／またはハードウェア、並びにランダムな結果を生成するために使用されるアルゴリズムおよび／またはプロセスを備える。レベルｎの現実世界クレジット勘定テーブル（Ｔａｂｌｅ  Ｌｎ−ＲＷＣ）１０８は、乱数生成器（ＲＮＧ）１０６と共に使用されて、ゲームプレーの機能として獲得された現実世界クレジット（ＲＷＣ）を決定することができるテーブルであり、従来のスロットマシーンで使用される勘定テーブルと類似する。テーブル  Ｌｎ−ＲＷＣの支払はプレーヤーのスキルから独立している。ギャンブルゲーム中に含まれる一または複数のテーブルＬｎ−ＲＷＣ勘定テーブル１０８や、（限定されるものではないが）プレーヤーが獲得したゲーム進展および／またはプレーヤーにふさわしいボーナスラウンドを含む要因により特定され得る選択が存在し得る。ＲＷＣは、硬貨または電子資金などの金銭の形態でプレーヤーによりギャンブルゲームに投入されるスロットマシーンのゲームクレジットと類似させることができる。ＲＷＣは、テーブルＬｎ−ＲＷＣ現実世界のクレジット勘定テーブル１０８に応じて、乱数生成器の結果に基づき、プレーヤーのスキルから独立して減少または増加させることができる。幾つかの実施形態では、ＲＷＣ額は高度なＥＧＳゲームレベルに参加するために必要とすることができる。高度なゲームレベルのために繰り越すか、またはゲーム精算がプレーヤーにより選択された場合の払戻金にＲＷＣを用いることができる。特定レベルのゲームに参加するために必要なＲＷＣ額は、別レベルと同じである必要はない。
【００３１】
多くの実施形態では、ＧＷＥ１１２は、ＧＷＥ１１２の支援装置であるＲＷＥ１０２およびＥＧＳ１２０を用いて効率的にハイブリッドゲーム動作全体を管理する。幾つかの実施形態では、ＧＷＥ１１２は、エンターテイメントゲームのための機械的、電子的およびソフトウェアのシステムを含む。ＧＷＥ１１２は、エンターテイメントゲームの制御を提供するＧＷゲームオペレーティングシステム（ＯＳ）１１４を備える。ＧＷＥは追加的に、本テーブルからの入力がエンターテイメントゲームのプレーに影響を与える、レベル「ｎ」のゲーム世界クレジット勘定テーブル(テーブルＬｎ−ＧＷＣ)１１６を含む。ＧＷＥ１１２はＲＷＥ１０２にさらに連結して、ゲームに利用可能なＲＷＣ額や(ＲＷＥのプレーにおいてＲＷＣに影響を与える可能性のある)ギャンブルゲームに賭ける他の基準を特定することができる。ＧＷＥは、追加的に様々な監査ログおよびアクティビティメータ(ＧＷＣメータなど)１１８を含む。ＧＷＥ１１２は、ゲームに対するプレーヤーやプレーヤーのアクティビティに関する様々なデータをやりとりする集中サーバにも連結することができる。ＧＷＥ１１２はＥＧＳ１２０にさらに連結される。
【００３２】
多くの実施形態では、レベル「ｎ」のゲーム世界クレジット勘定テーブ(テーブルＬｎ−ＧＷＣ)１１６は、ｎ番目レベルのゲームにおけるプレーヤーのスキルの機能として獲得されたＧＷＣを決定する。本テーブルにより調節される支払いは、プレーヤーのスキルおよびゲームプレー全体に依存し、乱数生成器に連結されてもされなくてもよい。幾つかの実施形態では、ゲーム世界クレジット（ＧＷＣ）は、プレーヤーのスキルの機能として、すなわち、ゲーム状況においてプレーヤーの振る舞いの機能として獲得または消耗されたプレーヤーのポイントである。ＧＷＣは、典型的なゲームの「スコア」と類似する。各ゲームは、ゲームのゴールに対するプレーヤーの振る舞いを反映するテーブルＬｎ−ＧＷＣ１１６内に組み込まれた一または複数のスコア基準を有する。ＧＷＣは、あるレベルのゲームプレーから別のプレーに繰り越すことができ、直接現金で支払う方法や、懸賞くじの参加による収益、または賞付きトーナメントへの参加もしくは該トーナメントでの勝利による収益など間接的に、最終的に様々な方法で支払われる。ＧＷＣは、プレーヤー追跡カードまたはネットワークによるプレーヤー追跡システムに格納されてよく、ＧＷＣは特定のプレーヤーに起因する。
【００３３】
幾つかの実施形態では、ＧＷＥの動作は、賭け金額、どれ程早くプレーヤーがプレーしたいか(限定されないが、リングにバスケットボールをシュートするなど)、および／またはボーナスラウンドへの賭け金の同意を含む、今日のスロットマシーンで可能なプレーヤーの選択パラメータを除いてＲＷＥのギャンブル操作に影響を与えない。この意味において、ＲＷＥ１０２は、公正でトランスペアレントな、スキルに依らないギャンブルゲームのコプロセッサをＧＷＥ１１２に提供する。図示の実施形態では、ＧＷＥ１１２およびＲＷＥ１０２間の通信リンクにより、ＧＷＥ１１２はギャンブルゲームで利用可能なＲＷＣ額についてＲＷＥ１０２から情報を得ることができる。通信リンクは、(オンラインまたはチルト（ｔｉｌｔ）など)ＲＷＥの必要な動作ステータスを伝達することもできる。通信リンクは、ジャックポットラウンドに参加するために、ゲームまたはプレーヤーの選択毎に消費されるＲＷＣ数など、ＲＷＥ１０２が入力として使用する様々なギャンブル制御要因をさらに伝えることができる。図１では、ＧＷＥ１１２はまた、特定のエンターテイメントゲームのクラブポイント、プレーヤーのステータス、選択制御、およびプレーヤーがＲＷＥ１０２におけるプレーヤーのエンターテイメントゲーム体験を調整またはプレーヤーのギャンブルステータスを理解するために役立つと判断し得るメッセージを伝えるために必要となり得るため、プレーヤーのユーザインタフェースに直接接続されたものとして示されている。
【００３４】
多くの実施形態では、ＲＷＥおよびＧＷＥ間の通信リンクは、（限定されるものではないが）エンターテイメントゲームイベントがギャンブルゲームの賭け金を引き起こすゲームプレーのギャンブルイベントの発生と、ギャンブルゲーム毎の賭け金に対するＲＷＣと、ボーナスラウンドに参加または不参加するための一分毎のプレーに対するギャンブルゲーム数と、ＥＭハイブリッドゲームのオペレータによりプレーヤーに付与される任意の追加的なＲＷＣと、（限定されるものではないが）ＧＷＥの種類に関する情報を含む監査に有益な情報、プレーヤープロファイルおよびステータス、テーブルＬｎ−ＧＷＣテーブル、およびＧＷＣポイントに関する情報を含む監査に役立つ情報、並びにオーディオに役立つ他の情報とを、ＧＷＥからＲＷＥに送信することができる。ＲＷＥからＧＷＥに送信される情報は、(限定されるものではないが)ＲＷＥまたはギャンブルゲームのステータス、ギャンブルプレー結果、テーブルＬｎ−ＲＷＣテーブル情報、ギャンブルゲームのパトロン/プレーヤーシステムデータ、ボーナスラウンド参加の可能性、ギャンブルゲーム通貨単位、またはＲＷＥゲームの動作パラメータを含むことができる。
【００３５】
種々の実施形態では、ＥＧＳ１２０は、ＥＭゲームとしてエンターテイメントゲームの機械的な振る舞いを管理および制御する。幾つかの実施形態では、ＥＧＳ１２０は、ＥＭゲームプレーに影響を与える一連の機械的な制御を介したプレーヤーからの入力を受け付ける。多くの実施形態では、ＥＧＳ１２０はＧＷＥ１１２とデータをやりとりし、ＧＷＥ１１２からの制御情報を受付けることができる。幾つかの実施形態では、ＥＧＳ１２０は、(限定されるものではないが)テーブルサッカー、テーブルホッケー、ビリヤード、テーブルテニス、エアホッケー、スキーボールおよびポップショット（ｐｏｐ−ａ−ｓｈｏｔ）アーケードバスケットボールなど任意のＥＭゲームを実装することができる。
【００３６】
ＥＧＳ１２０は主に、インタフェースを介すことを除きＧＷＥ１１２から独立して動作し、ＧＷＥ１１２は、（限定されるものではないが）プレーに利用可能なスキーボール数、ＥＭゲームフィールド上の障害または妨害の存在、（限定されるものではないが、２点の代わりに３点に値するバスケットボールのシュートなど)ＥＭゲームにおけるボーナススコアの機会、および得点の難易度を変えるためにスコアバスケットボールリングが左右に動く割合など、プレーに影響を与えるために特定のＧＷゲームの制御パラメータをＥＧＳ１２０に送信し得る。ＥＧＳ１２０はＧＷＥ１１２からの入力を受け付け、調整を行い、プレーヤーの視点から途切れなく実行しながらプレーにおける全ての行為を続行することができる。ＥＧＳの動作は、ＥＧＳのアルゴリズムがその通常動作においてゲームに偶然に複雑さを投入してエンターテイメントゲームに予測不可能なことを創り出し得る場合を除き、主に技能に基づく。このインタフェースを利用して、ＥＧＳ１２０はまた、ＥＭゲームにおいて取られたプレーヤーによる選択をＧＷＥ１１２に伝え得る。ＥＧＳ１２０に結び付けられるこのアーキテクチャにおけるＧＷＥの働きにより、公正でトランスペアレントな、ランダムに勝算を出すギャンブルゲームへのエンターテイメントソフトウェアのトランスペアレントな連結を可能とし、典型的に人気のある（スキルに基づく）エンターテイメントゲームをプレーするプレーヤーに途切れのない視点を提供することができる。幾つかの実施形態では、ＥＧＳ１２０は限定されるものではないがテーブルテニス、テーブルサッカー、ナインボールまたはテーブルホッケーを含む幅広いゲームを可能とするために使用することができる。
【００３７】
多くの実施形態では、ＧＷＥおよびＥＧＳは相互にデータをやりとりすることができる。ＧＷＥからＥＧＳに送信される情報は、(限定されるものではないが)ＥＧＳゲームソフトウェア、ＥＧＳゲーム難易度設定、ゲームスコア強化、ＥＧＳゲーム用のチート、キャラクタまたはプレーヤープロファイル設定、機器在庫およびランダムで複雑なモッズを含むことができる。ＥＧＳからＧＷＥに送信される情報は、(限定されるものではないが)ＥＧＳユーザインタフェースを介したプレーヤーの選択、エンターテイメントゲームにおけるキャラクタのプロファイル、ゲームスコア、ランダムな複雑性の割合、言語選択、並びにトーナメントおよびマルチプレーヤーの情報を含むことができる。 
【００３８】
幾つかの実施形態では、ＲＷＥ１０２は、ＥＧＳ１２０によってＧＷＥ１１２に伝達された際、またはアルゴリズムやプレーヤーの視覚からＥＭゲーム全体の背景に基づいてＧＷＥ１１２により引き起こされた際に、エンターテイメントゲームにおけるプレーヤーによる行為に応じてトリガを受付けてギャンブルゲーム実行することができるが、ＲＷＥ１０２は、（限定されるものではないが）勝算、プレーにおけるＲＷＣ額、および利用可能なＲＷＣ額などギャンブルゲームの幾つかの態様をプレーヤーに見せるためにＧＷＥ１１２に情報を提供することができる。ＲＷＥ１０２は、各個々のギャンブル試行または一分毎のゲーム数に賭けられたＲＷＣ額の変更を受け付けることができ、ＲＷＥ１０２は、これらの要因が典型的なスロットマシーンの形態と異なる形態を取ることができ、ボーナスラウンドおよび他の要因への入場を実行することができる。プレーヤーが選択できる賭け金額の変更例は、(限定されるものではないが)テーブルサッカーゲームにおける(ＲＷＣに関して)より高価なボールを使ったプレーを含む。これらの選択は、標準的なスロットマシーンのプレーヤーがハンドルの引き手毎に多かれ少なかれクレジットを賭けるために決定し得る方法と同じ方法で、個々のギャンブルゲーム毎に賭けられる額を増減させることができる。幾つかの実施形態では、ＲＷＥ１０２はプレーヤーが行う決定の機能である掛け金の増減など、インタフェースを介してＧＷＥ１１２の前後に多くの要因を伝えることができる。これにより、プレーヤーは常に、ＥＭハイブリッドゲームのエンターテイメントゲーム体験に適用可能な幾つかのパラメータまたはコンポーネントにマッピングする選択肢を用いて、ゲームの賭け金額ごとに制御を行う。
【００３９】
多くの実施形態では、ＥＭハイブリッドゲームはギャンブル機と一体化し、ギャンブルゲーム(すなわちＲＷＥ１０２およびＲＷＣ)はプレーヤーのスキルに基づかないが、同時に、プレーヤーはエンターテイメントゲームで自身のスキルを使用して、限定されるものではないが、カジノオペレータが変換して報酬を与えることができるクラブポイント、トーナメント機会およびプレーヤーのための賞金など、ＧＷＣを獲得することができる。スロットマシーンなど運ゲームに対するギャンブルにより直接獲得または損失した通貨資金の実際の交換は保存される。同時に、プレーヤーを刺激するリッチな報奨金環境は、エンターテイメントゲームを用いて確立することができる。幾つかの実施形態では、ハイブリッドゲームは人気のあるＥＭゲームを利用して、若い世代が所望するエンターテイメントの種類に一層類似するＥＭゲームを用いてプレーヤーを魅了するために、カジノに著しい変貌環境を提供することができる。種々の実施形態では、プレーヤーは、プレーヤーの優れた腕前の機能として、同様にトーナメントに勝つために使用できるＧＷＣおよび様々な賞金を増加および貯金するためにスキルを使用することができる。 
【００４０】
幾つかの実施形態では、ハイブリッドゲームにより、プレーヤーは、プレーヤーがゲームで実演したスキルの機能として生じるゲーム世界クレジット(ＧＷＣ)の蓄積を使用して後続の試合への参加することもできる。これらの試合は、個人プレーヤーまたはプレーヤーグループを互いに、および／またはカジノに対して競わせ、チャンスやスキルの組合せに基づいて賞金を勝ち取らせることができる。これらの試合は、プレーヤーが同時および／またはプレーヤーによる選択場所において参加する非同期イベント、または特定の時間および／または会場で参加する同期イベントであり得る。
【００４１】
図１Ｂは、本発明の一実施形態に係るＥＭゲームを備えるＥＧＳを示す。ＥＭゲーム１５０は、ＧＷ電気機械エンターテイメントゲーム用インタフェース１５４を介してＥＧＳ１５２に接続される。ＧＷ電気機械エンターテイメントゲーム用インタフェース１５４も視聴覚インタフェース１５６をＥＧＳ１５２に接続する。視聴覚インタフェース１５６は、電気機械エンターテイメントゲーム１５０の一または複数のプレーヤーに命令およびゲームステータスを伝え（１６４）、一または複数のプレーヤーからの入力を受信する（１６６）ために使用される装置を備える。視聴覚インタフェース１５６の例は、（限定されるものではないが）モニタおよび／またはタッチスクリーン・ディスプレー１５８、紙幣鑑別機(不図示)、プレーヤーのカードリーダ１６０またはキーボード１６２を備えることができる。
【００４２】
電気機械エンターテイメントゲーム１５０は、プレーヤーの作動制御、ゲームプレーイベントおよび様々なゲームプレー要素の位置を感知するセンサ（不図示）を備える。センサの例は、（限定されるものではないが）ゴールセンサ、ボール位置センサ、ボール種類センサ、ロッド位置および回転センサを含むことができる。ＥＧＳ１５２はＧＷ電気機械エンターテイメントゲーム用インタフェース１５４を介して、プレーヤーの作動制御、ゲームプレーイベントおよび様々なゲームプレー要素の位置を示すセンサから信号を受信する（１６８）。
【００４３】
ＥＭゲーム１５０は、ＧＷ電気機械エンターテイメントゲーム用インタフェース１５４を介して、ＥＧＳ１５２により制御することができる（１７０）アクチュエータ（不図示）も備える。アクチュエータはＥＭゲーム１５０の様々な構成要素を制御し、本明細書で説明するようにＥＭゲーム１５０の難易度に影響を与えることができる。例えば、バスケットボールをテーマにしたゲームの場合、バスケットボールリングが左右に動いてスコアの難易度を変える割合に影響を与えることにより、ＥＭゲーム１５０の難易度を上下させることができる。種々の実施形態では、(限定されるものではないが、より小さな、またはより大きなゴールなど)ゴールの大きさ、(限定されるものではないが、並んだテーブルサッカーマンまたはテーブル上のホッケープレーヤーなど)利用可能なプレーヤー、（限定されるものではないが、可変抵抗を有するテーブルサッカーまたはテーブル上のホッケーロッドなど)制御機構に課される摩擦、（限定されるものではないが、青のエアホッケーパックが赤のホッケーパックよりも高いＲＷＣ賭け金に関連し得る場合など)異なる色のボールまたはホッケーパックなど、新しい、または異なる要素のゲームプレーへの組み込み、(限定されるものではないが、ゲームの時計が早くまたは遅く進み、賭けられる賭け金のペースに影響を与え得る場合など)ゲームプレーに利用可能な時間、(限定されるものではないが、スキーボールで提供することができる特殊な標的など)特殊な標的または妨害の存在など、アクチュエータの使用により他の要素が影響され得る。エンターテイメントゲームをギャンブルゲームに関連付けることができる特定の要因を先に記載したが、本発明の実施形態に係る特定のアプリケーションの要件に適切なものとして、エンターテイメントゲームおよびギャンブルゲーム間の関係を設定するために任意の要因を利用することができる。
【００４４】
ゲームプレー中、一または複数のプレーヤーは、視聴覚インタフェース１５６を使用して(限定されるものではないが、サービス券、紙幣、コイン、プレーヤーカードまたはクレジットカードなど)ＲＷＣを入れ、ＥＭゲーム１５０を続けるために（限定されるものではないが、プレーヤーの数、サイド・ベッド（ｓｉｄｅ  ｂｅｔｓ）、試合形態または賭けられるべきＲＷＣ）プレーヤー選択を行うことができる。次に、ＥＧＳ１５２は、ＧＷ電気機械エンターテイメントゲーム用インタフェース１５４を介して視聴覚インタフェース１５６からプレーヤー入力を受信する。一または複数のプレーヤーがＥＭゲーム１５０をプレーしている場合、ＥＧＳ１５２は、ＧＷ電気機械エンターテイメントゲーム用インタフェース１５４を介してＥＭゲームのセンサから感知信号を受信することによりＥＭゲーム１５０のゲームプレーを監視する。例えば、ギャンブルイベントの構成により、またはギャンブルイベントの結果に基づいてＥＭゲーム１５０のゲームプレーの難易度レベルが変更対象となることが判断される場合、ＥＧＳ１５２は、ＧＷ電気機械エンターテイメントゲーム用インタフェース１５４を介してＥＭゲーム１５０の一または複数のアクチュエータを制御する（１７０）。
【００４５】
ＥＭハイブリッドゲームの様々な構成を上述したが、ＥＭハイブリッドゲームは本発明の実施形態に係る特定のアプリケーションの要件に適した任意の方法で構成することができる。ネットワークによるＥＭハイブリッドゲームを以下で述べる。
【００４６】
ネットワーク接続された電気機械ハイブリッドゲーム
本発明の多くの実施形態に係るＥＭハイブリッドゲームは、リモート位置からサービスを取り出す、または他のハイブリッドゲームと通信するためにネットワーク接続されつつローカルで動作することができる。多くの実施形態では、（限定されるものではないが）ＥＭゲーム、ユーザインタフェース、スコアまたはＲＷＣおよびＧＷＣの追跡を計算する処理の制御など、多数の装置に亘ってＥＭハイブリッドゲームに紐付けられた動作を行うことができる。これら多数の装置は、（限定されるものではないが）ＲＷＥおよびＧＷＥがインターネットを介して複数の広分散型のＥＧＳコントローラまたはクライアントに連結された「クラウド中」の大規模な集中サーバの場合など、ＥＭハイブリッドゲームが仮想空間のシステムとして実行されるように、単一サーバまたは複数サーバを使用または該サーバと接続して実装することができる。
【００４７】
多くの実施形態では、ＲＷＥサーバは、ハイブリッドゲームのＲＷＥの特定機能を実行することができる。幾つかの実施形態では、ＲＷＥサーバはギャンブルゲームに対し(限定されるものではないが勝ち/負け結果など)ランダムな結果を生成することができる集中勝算エンジンを備え、それにより、ＥＭハイブリッドゲーム内でローカルに実行されるＲＷＥが該機能を持つ必要性を排除する。ＲＷＥサーバは、一または複数のネットワークによるＥＭハイブリッドゲームが必要とし得る様々な勝算パーセンテージに対しランダムな結果を生成するために多くの同時実行または疑似同時実行を実行することができる。幾つかの実施形態では、ＥＭハイブリッドゲームのＲＷＥは、（限定されるものではないが）テーブルＬｎ−ＲＷＣテーブル、ギャンブルゲームのプレーの最高速度、ギャンブルゲーム通貨単位、またはＥＭハイブリッドゲームのオペレータにより提供される任意の促進ＲＷＣを含む情報をＲＷＥサーバに送信することができる。特定の実施形態では、ＲＷＥサーバは、（限定されるものではないが）ギャンブルゲームで使用されるＲＷＣ、プレーヤーアカウント情報、またはプレーヤーに紐付けられたプレーアクティビティもしくはプロファイルを含む情報をＥＭハイブリッドゲームのＲＷＥに送信することができる。
【００４８】
幾つかの実施形態では、ＧＷＥサーバは、様々なハイブリッドゲームに亘ってＧＷＥの機能性を実行することができる。これらの機能は、（限定されるものではないが）選択されたゲームグループに対する高スコアを監視する方法を提供することと、直接対決のトーナメントに参加させるためにゲームグループを関連付けることと、トーナメント管理者として機能することとを含むことができる。
【００４９】
種々の実施形態では、プレーヤーアカウント情報の管理は、ＧＷＥサーバと別個のＧＷＥパトロン管理サーバにより行うことができる。ＧＷＥパトロン管理サーバは、（限定されるものではないが）プレーヤーの特性、プレーヤーのゲームスコア、プレーヤーのＲＷＣおよびＧＷＣ、並びに管理しているトーナメント予約に関するデータを含むプレーヤーアカウント情報を管理することができる。ＧＷＥパトロン管理サーバはＧＷＥサーバと別個のものとして述べたが、幾つかの実施形態では、ＧＷＥサーバもＧＷＥパトロン管理サーバの機能を実行する。幾つかの実施形態では、ＥＭハイブリッドゲームのＧＷＥは（限定されるものではないが）ゲームで使用されるＧＷＣおよびＲＷＣ、プレーヤーアカウント情報、プレーヤーのプレーアクティビティおよびプロファイル情報、並びにギャンブルゲームおよびエンターテイメントゲームまたはＥＭハイブリッドゲームの他の態様間の同期情報を含む情報をＧＷパトロン管理サーバに送信することができる。特定の実施形態では、ＧＷパトロン管理サーバは、（限定されるものではないが）エンターテイメントゲームのタイトルおよび種類、トーナメン情報、テーブルＬｎ−ＧＷＣテーブル、特別提供、設定されたキャラクタまたはプロファイル、並びにギャンブルゲームおよびエンターテイメントゲームまたはＥＭハイブリッドゲームの他の態様間の同期情報を含む情報をＥＭハイブリッドゲームのＧＷＥに送信することができる。
【００５０】
多くの実施形態では、ＥＧＳサーバは、直接対決のプレーを管理し、プレーヤーが別のプレーヤーと直接的に競い合い、他のプレーヤーとやりとりすることができる環境を提供することにより、ＥＧＳサーバに接続されるＥＧＳのネットワーク上で動作するホストを提供する。ＥＧＳサーバはＧＷＥサーバと別個のものとして述べたが、幾つかの実施形態では、ＧＷＥサーバもＥＧＳサーバの機能を実行する。
【００５１】
本発明の多くの実施形態では、ネットワーク越しにＥＭハイブリッドゲームに接続されたサーバは、相互に通信してＥＭハイブリッドゲームにサービスを提供することができる。幾つかの実施形態では、ＲＷＥサーバはＧＷＥサーバと通信することができる。ＲＷＥサーバはＧＷＥサーバと通信し、（限定されるものではないが）ＥＭハイブリッドゲームシステムの要件を成すためにＲＷＥ内で並行して実行する様々な同時または疑似同時による勝算エンジンを構成し、ランダムな実行や追跡システムの動作結果などＲＷＥの動作メトリクスを特定し、監査を行い、オペレータにレポートを提供し、(賞金の自動抽選がＥＧＳ性能の機能である場合など)ＧＷＥ内で動作する機能の使用のために勝ち／負け結果をリクエストする情報を含む、特定のアプリケーションに適切な任意の種類の情報を伝えることができる。
【００５２】
幾つかの実施形態では、ＧＷＥサーバは、ＥＧＳサーバと通信することができる。ＧＷＥサーバはＥＧＳサーバと通信して、（限定されるものではないが）ＥＭゲームトーナメントの管理などＧＷＥサーバによるＥＧＳサーバの管理を含む特定のアプリケーションに適切な任意の種類の情報を伝えることができる。典型的に、(ＥＭハイブリッドゲーム内またはＧＷＥサーバ上で実行するＧＷＥなど)ＧＷＥは、典型的な構成では実際のトーナメントにおけるプレーはＥＧＳサーバにより管理されるため、残りのトーナメントに対する自身の関係に気づかない。それ故、ＥＭゲームトーナメントの管理は、(限定されるものではないが)ＥＭハイブリッドゲームのオペレータにより調整することができるシステムプログラミングに従ってトーナメントを行い、特定プレーヤーのトーナメントへの参加を許可し、(限定されるものではないが、残存するプレーヤー数、ゲームにおける残存プレーヤーのステータス、トーナメントの残り時間など)トーナメント内のプレーヤー数とトーナメントのステータスを伝え、ゲームに含まれるＥＧＳのスタータスを伝え、トーナメント内のプレーヤーの振る舞いを伝え、トーナメント内の様々な数のスコアを伝え、トーナメント内のＧＷＥをそれぞれのＥＧＳに接続するための同期リンクを提供するなど、タスクを含むことができる。
【００５３】
幾つかの実施形態では、ＧＷＥサーバはＧＷパトロンサーバと通信することができる。ＧＷＥサーバはＧＷパトロンサーバと通信して、（限定されるものではないが）ＥＭハイブリッドゲームのオペレータにより行われるシステムプログラミングに従ってトーナメントを構成するための情報、プレーヤープロファイルを様々な形態のゲームプレーに参加する能力に関連付けるために必要なデータ(限定されるものではないが、ＧＷＥサーバまたはプレーヤーがプレーするゲームのＧＷＥにより設定されたプレー難易度)のやりとり、プレーヤーの特性の機能(限定されるものではないが、プレーヤーのゲームの腕前またはトーナメント上映に使用される他のメトリクス)としてトーナメントに参加するプレーヤーの能力を特定すること、プレーヤーアカウントで記録されるものとして特定のＥＭハイブリッドゲームにおけるプレーヤーの好みに適合するゲーム内蔵ＧＷＥおよびＥＧＳ性能を構成すること、販売情報のためにプレーヤーのプレーおよびギャンブル性能を特定すること、プレーヤーのアカウントに二次的な抽選賞金、トーナメント賞金、ＲＷＣおよびＧＷＣを記録することを含む、特定のアプリケーションに適切な任意の種類の情報を伝えることができる。
【００５４】
多くの実施形態では、様々なアルゴリズムおよび機能が実行される現在位置は、ゲーム内蔵装置(ＲＷＥ、ＧＷＥ、ＥＧＳ)、サーバ(ＲＷＥサーバ、ＧＷＥサーバまたはＥＧＳサーバ)上、またはサーバとゲーム内蔵装置の組合せに配置され得る。特定の実施形態では、ＲＷＥサーバ、ＧＷＥサーバ、ＧＷパトロンサーバまたはＥＧＳサーバの特定の機能は、ローカルにＥＭハイブリッドゲームを含むローカルのＲＷＥ、ＧＷＥまたはＥＧＳ上で動作し得る。幾つかの実施形態では、サーバは、ソフトウェアが一または複数の物理装置で実行され得る複数のサーバを備えるサーバシステムである。同様に、特定の実施形態では、多様なサーバが単一の物理装置上で組合せられ得る。 
【００５５】
本発明の多くの実施形態に係るＥＭハイブリッドゲームは、様々な構成でリモートサーバにネットワーク接続することができる。本発明の一実施形態に係るネットワーク接続されたＥＭハイブリッドゲームを図２Ａに示す。ＥＭハイブリッドゲーム２１２は、（限定されるものではないが）インターネットなどのネットワーク２１０越しにＲＷＥサーバ２０２、ＧＷパトロン管理サーバ２０４、ＧＷＥサーバ２０６およびＥＧＳサーバ２０８に接続される。ＥＭハイブリッドゲーム２１２にネットワーク接続されたサーバは、ＥＭハイブリッドゲーム２１２およびＥＭハイブリッドゲーム２１２と通信する他のサーバ中のコンポーネントの各々とも通信することができる。本発明の一実施形態に係る、ネットワーク接続されたＥＭハイブリッドゲームと様々なサーバのコンポーネントとの通信を図２に示す。ＥＭハイブリッドゲーム２６８の各々は、ＲＷＥ２６０、ＧＷＥ２６２およびＥＧＳ２６４などのコンポーネントを備える。次に、ＲＷＥ２６０およびＧＷＥ２６２は各々、ＲＷＥサーバ２５２、ＧＷパトロンサーバ２５２および／またはＧＷＥサーバ２５６と通信する。同様に、各ＥＧＳ２６４はＥＧＳサーバ２５８と通信する。サーバのうち、ＲＷＥサーバ２５２はＧＷパトロンサーバ２５４およびＧＷＥサーバ２５６と通信し、ＧＷパトロンサーバ２５４もＧＷＥサーバ２５６と通信し、また、ＧＷＥサーバ２５６はＥＧＳサーバ２５８と通信する。多くの実施形態では、ＧＷパトロンサーバ２５４はＧＷＥサーバ２５６内に組み込まれる。幾つかの実施形態では、エンターテイメントゲームとギャンブルゲームとにおけるＥＭハイブリッドゲームのバランスは、ＲＷＥサーバ２５２と、ＧＷパトロンサーバ２５４およびＧＷＥサーバ２５６の各々との間における通信により成し遂げられる。同様に、ＥＭゲームの利用は、ＧＷＥサーバ２５６とＥＧＳサーバ２５８との間における通信により成し遂げられる。
【００５６】
ネットワーク接続されたＥＭハイブリッドゲームの様々な構成を上述したが、ネットワーク接続されたＥＭハイブリッドゲームは、本発明の実施形態に係る特定のアプリケーションの要件に適切な任意の方法で構成することができる。ＥＭハイブリッドゲームの動作を以下で詳述する。
【００５７】
電気機械ハイブリッドゲームの動作
多くの実施形態に従うＥＭハイブリッドゲームは、ＥＭハイブリッドゲームの一部として動作するように種々のＥＭゲームのうち任意のＥＭゲームを構成することができる。多くの実施形態では、(ローカルのＧＷＥまたはリモートＧＷＥサーバまたはＧＷパトロンサーバを使用する)ＥＭハイブリッドゲームのＧＷＥは、プレーヤーを識別し、ＥＭハイブリッドゲームが特定のプレーヤーに関する情報を統合または処理可能なプレーヤーアカウントを使用してＥＭハイブリッドゲームとのプレーヤーによるやりとりを管理することができる。プレーヤーアカウントは、ギャンブルゲームに影響を与え得るＧＷまたはＲＷパラメータなどプレーヤーに関する任意の情報を含むことができる。ギャンブルゲームにインパクトを与える要因の場合、プレーヤーが取る選択の意味やギャンブルゲームにおけるそれらの影響は、プレーヤーに対し明白に開示され得る。幾つかの実施形態では、プレーヤーが取る選択は、(限定されるものではないが)ＲＷＥの各ギャンブルプレーに賭けられた１ＲＷＣの代わりに２ＲＷＥとなり得るスキーボールゲームの特定のカラーボールの選択、バスケットボールを対象としたゲームで使用されるボールの大きさに依存した利用可能なＲＷＥ賭け金を含むことができる。それ故、エンターテイメントゲームを行う間のプレーヤーの選択はギャンブルゲームにおけるゲームの性能を向上または妨害させることができるが、あらゆる場合において、選択および費用は選択を行うプレーヤーに明白に開示される。これらの選択期間の間、ＲＷＥの動作は、プレーヤーがエンターテイメントゲームで功績を上げたいかを考慮して、プレーヤーが責任を持ってプレーするに利用可能な資金に基づいて適切な選択をするに十分な時間を有し得るように妥当な時間の間一時停止される。様々な多くの要因によりＥＭハイブリッドゲームのエンターテイメントゲームおよびギャンブルゲーム間の関係を特定することができ、該関係は（限定されるものではないが）ＲＷＣ賭け金量、ボーナスラウンドの参加、ギャンブルゲームのＲＷＣの使用、(限定されるものではないが、より小さな径のバスケットボール、より重いバスケットボールを含む)ボールの大きさまたは重量、(限定されるものではないがより小さなゴールや大きなゴールなど)ゴールの大きさ、(限定されるものではないが、一列のテーブルサッカー選手またはテーブル上のホッケープレーヤーなど)利用可能なプレーヤー、(限定されるものではないが、様々な抵抗を有する、テーブルサッカーボールまたはテーブル上のホッケーロッドなど)制御機構に課される摩擦、(限定されるものではないが、青のエアホッケーパックは赤のホッケーパックよりも高いＲＷＣ賭け金に相関し得る場合など)ボールまたはホッケーパックの色、(限定されるものではないが、ゲーム時計が早くまたは遅く進んだと支払われる賭け金のペースに影響を与えるなど)ゲームプレーに利用可能な時間、（限定されるものではないが、スキーボールに提供できる特殊な標的など)特殊な標的または妨害の存在を含む。エンターテイメントゲームをギャンブルゲームに関連付けることができる特定の要因を先に述べたがが、エンターテイメントゲームとギャンブルゲームとにおける関係を設定するため���、本発明の実施形態に係る特定のアプリケーションの要件に適切な任意の要因を利用することができる。
【００５８】
幾つかの実施形態では、エンターテイメントゲームは、システムにより把握されるようにプレーヤーのスキルに応じて難易度を動的に調整する。これは、ＲＷＣ視点からギャンブルゲームの最終的な結果に影響を与えることはないが、プレーヤーの能力に合わせられたカスタム体験をプレーヤーに与える。この難易度の動的調整は、テーブルＬｎ−ＧＷＣに具現化されるＧＷＣの支払いに影響を与えるため、かつ(エンターテイメントゲーム視点から)克服すべき価値の高い試みをプレーヤーに提供するために使用することができる。 
【００５９】
多くの実施形態では、オペレータはＧＷＥのプレーヤーアカウントを管理して、エンターテイメントゲームまたはギャンブルゲーム内に、（限定されるものではないが）自動賞金を引き起こす、プレーヤーを高い順位に昇格させるかプレーヤーのステータスを妨害する、トーナメント、賞金、二次的抽選および他のそのような体験強化をプレーヤーに与えるなど、多くの閾値を設定することができる。幾つかの実施形態では、オペレータは所望の閾値を用いてＧＷＥサーバおよび／またはＧＷＥパトロン管理サーバをプログラミングすることができ、次にこれらのサーバは、ゲーム内蔵ＧＷＥを構成してエンターテイメントゲームプレーを監視し、それにより規定の閾値に対する試合を識別する。装置とサーバとにおけるシグナル伝達により、特定のプレーヤーおよびプレーヤーの特性のために適切に記録された適切な賞金、資格および他の行為、並びにステータス、賞金または資格におけるこれらの変化について適切に通知される当該プレーヤーを確保することができる。 
【００６０】
幾つかの実施形態では、プレーヤーアカウントはＥＧＳのＥＭゲームのプレーヤーにおける試合を管理するために使用することができる。それにより、プレーヤーはエンターテイメントゲームでＧＷＣを勝ち取るために直接対決することができ、ギャンブルゲームはプレーヤー毎に独立して、または一緒に開始することができる。ＥＧＳで実行するテーブルサッカー型のＥＭゲームにおける幾つかの実施形態では、各プレーヤーは独立してクレジットをゲームに投入し、引き換えに特定数のボールを受け取る。プレーヤーがゴールを決める度に、得点を決めたプレーヤーのためにギャンブルゲームが行われる。ギャンブルゲームがＲＷＣを増加させる場合、プレーヤーもテーブルサッカー型のＥＭゲーム内で使用するための追加ボールを受け取る。この点において、他のプレーヤーがゴールを決めない場合でも、テーブルサッカー型のＥＭゲームにおける延長プレー時間の利益を獲得することにより、他のプレーヤーのＲＷＣ賞金から利益を得る。別の実施形態では、プレーヤーは連帯してゲームに対するＲＷＣの貢献に寄与し、ボールを分け合って共有し、ギャンブルゲームの勝利は連帯プレーヤーに生じる。 
【００６１】
多くの実施形態では、ＥＭゲームは、ＥＭゲームを行うプレーヤーにより取られる行為および／またはゲーム内の要素の位置および／または速度を記録するセンサを備えるように変更されたゲームを備える。幾つかの実施形態では、テーブルサッカーゲームには、各プレーヤーのアクチュエータの半径方向の位置および軸位置を測定するセンサと、センサまたはゴールが決まった時を証明する一または複数のセンサと、ボールの位置を認識することができるテーブル上のセンサと、テーブルの片側に配置された入口用の穴を通ってボールがゲームに取り込まれた時を認識するセンサとが装備され得る。
【００６２】
本発明の一実施形態に係るＥＭハイブリッドゲームが利用されるプロセスを図３に示す。プロセス３００はＲＷＣを受け取ること(３０２)を含む。ＲＷＣは、(限定されるものではないが)金銭をＥＭハイブリッドゲームに入れるか、またはＥＭハイブリッドゲームに資金を提供することなどにより受け取る(３０２)ことができる。ＲＷＣを受け取った（３０２）後、ＥＭハイブリッドゲームのＥＭゲーム部がプレーヤーによりプレーされる間(３０３)、ＥＭゲームのゲームプレーは監視される(３０４)。次に、ギャンブルゲームに紐付くゲームプレーのギャンブルイベントが発生したかを特定する決定(３０６)が成される。ゲームプレーのギャンブルイベントはギャンブルゲームを引き起こすことができる、エンターテイメントゲーム中の任意のイベントである。ゲームプレーのギャンブルイベントが発生した場合、プロセスは引き続きＥＭゲームのプレーを監視する(３０４)。ゲームプレーのギャンブルイベントが発生すると、ギャンブルゲームに賭けられるＲＷＣが必要となる（３０８）。ギャンブルゲームへの賭け金の結果は、ＥＭゲームの一または複数のアクチュエータを使用するＥＭゲームのゲームプレーに影響を与える（３１０）ために使用される。幾つかの実施形態では、ギャンブルゲームの負け結果の際にゲームの難易度を上げるために一または複数のアクチュエータが作動されるか、またはギャンブルゲームの勝ち結果の際にゲームの難易度を下げるために一または複数のアクチュエータが作動される。
【００６３】
ＥＭハイブリッドゲームを動作させる様々な方法を上述したが、ＥＭハイブリッドゲームは、本発明の実施形態に係る特定のアプリケーションの要件に適切な任意の方法で作動させることができる。ポップショット（ｐｏｐ  ｓｈｏｔ）ＥＭゲームを利用するＥＭハイブリッドゲームの動作を以下で詳述する。
【００６４】
ポップショット（ｐｏｐ  ｓｈｏｔ）電気機械ゲーム
多くの実施形態に従うＥＭハイブリッドゲームは、ＥＭハイブリッドゲームのＥＧＳ内でポップショット型のＥＭゲームを実装することができる。幾つかの実施形態では、ポップショットゲームはアーケードゲームに類似しており、プレーヤーは動かないか、または動くバスケットボールリングにシュートするための固定時間を有する。ＲＷＣをＥＭゲームに入れると、プレーヤーは時間のある限りバスケットボールを利用することができる。一定の時間間隔でプレーヤーはバスケットにシュートを続ける。ゴールが決まる度にプレーヤーはＧＷＣを獲得し、特定のＲＷＣ額を賭けてギャンブルゲームが開始される。ギャンブルゲームによりＲＷＣを獲得する場合、時計に時間が追加されてプレーヤーはゲームを続けることができる。プレーヤーは、ＲＷＣを使い果たしても時間が無くなるまでシュートし続ける。幾つかの実施形態では、ＲＷＣが尽きるとギャンブルゲームは開始されない。 
【００６５】
幾つかの実施形態では、ポップショットＥＭハイブリッドゲームプレーは時間により測定されるのではなく、(限定されるものではないが、ＥＭハイブリッドゲームに入れたＲＷＣ毎に一回など)プレーヤーが利用可能な固定数のシュートにより測定される。プレーヤーが挑戦する度にギャンブルゲームでＲＷＣが消費される。プレーヤーがギャンブルゲームで払戻金を受け取る場合、ＲＷＣは蓄積し、プレーヤーは追加バスケットボールを利用可能となる。プレーヤーがギャンブルゲームに負けるとＲＷＣが減少し、プレーヤーに追加バスケットボールは配布されない。ＧＷＣはシュートされたバスケットボールの数の機能として蓄積され、ボーナスシステムを駆動するために使用することができ、それにより、追加バスケットボールが利用できるとともに、十分に高レベルのＧＷＣが獲得された場合は、これらの追加バスケットボールで行われたシュートに対し紐付けられた無料ギャンブルゲームプレーが利用可能となる。 
【００６６】
特定の実施形態では、プレーヤーは、バスケットボールリングを動かないままとするか、常に動く状態とするかを選択することができる。様々なギャンブルゲームが各周辺環境においてプレーと紐付けられ得、バスケットについて、様々なＧＷＣ額が各々の事情で獲得され得る。 
【００６７】
幾つかの実施形態では、異なる色、重量、大きさのバスケットボールがＲＷＣ額を変更するために相関するように使用することができる。行われた各バスケットの機能として獲得されるＧＷＣ額も、バスケットボールの大きさに伴い変更し得る。 
【００６８】
ＥＭハイブリッドゲームのポップショットＥＭゲーム部の様々な構成を上述したが、ＥＭハイブリッドゲームは本発明の実施形態に係る特定のアプリケーションの要件に適切な任意の方法で動作するように構成することができる。テーブルサッカーＥＭゲームを利用するＥＭハイブリッドゲームの動作を以下で詳述する。
【００６９】
テーブルサッカー電気機械ゲーム
多くの実施形態に従うＥＭハイブリッドゲームは、ＥＭハイブリッドゲームのＥＧＳ内のテーブルサッカー型のＥＭゲームで実装することができる。幾つかの実施形態では、テーブルサッカー型のＥＭゲームはテーブルサッカーゲーム版に類似しており、二人乃至四人のプレーヤー(チームごとに一人または二人のプレーヤー)は、テーブルの片側のネットに小さなボールをシュートすることにより相手チームにゴールを決めることを試みる。ＲＷＣをＥＭハイブリッドゲームに入れることにより、プレーヤーはテーブル上でプレーすることができる固定数のボール(ボールの各々が特定のＲＷＣ額に対応する)を入手することができる。ＲＷＣは、(限定されるものではないが、全プレーヤーのために提出され、単一のプール賭博金として扱われるＲＷＣなど)システムにより一括して、またはチーム毎に独立的に管理することができる。ゲーム中、単一のボールがテーブルに投下され、プレーヤーはロッドに取付けられたサッカープレーヤーを介して相手方のゴールボールを指揮する。得点を決めたチームがＧＷＣを獲得する場合、ゴールが決まる度にゲームプレーのギャンブルイベントを発生させることができ、特定のＲＷＣ額に対しギャンブルゲームが開始される。ギャンブルゲームによりＲＷＣを獲得する場合、ゴールを決めたチームには、次に展開されるテーブルサッカー型のＥＭゲームのために、ＲＷＣおよび追加ボールまたは（勝ち取ったＲＷＣ額に対応する数の）ボールが与えられる。
【００７０】
幾つかの実施形態では、ＲＷＣは、ゴールを決めたことがゴールを決めたチームにＧＷＣを配分する場合、単一のプール賭博金として扱われるが、ＲＷＣはいずれかのチームが使用可能な追加サッカーボールとなり、それによりＥＭゲームのプレーを延長することができる。また、ＥＭゲームプレーが、(ギャンブルゲームが勝ち結果に帰す場合)ＲＷＣによってプール賭博金を増加させることができ、該ＲＷＣはいつでも換金することができる。
【００７１】
多くの実施形態では、ゲームへのボールの導入によりギャンブルゲーム、ＲＷＣの消費、可能性としてＲＷＣおよびＧＷＣ並びに追加ゲームボールの授与が発生する。
【００７２】
多くの実施形態では、(限定されるものではないが、勘定テーブルまたは勝算など)ギャンブルゲームの性質は、決められたゴールの性質により影響される。テーブルの突き当りの守備プレーヤーによりシュートされたことにより決められたゴールは相手のゴールに最も近い攻撃プレーヤーを使用して決められたゴールよりもギャンブルゲームにおいて良い勝算をもたらし得る。幾つかの実施形態では、ギャンブルゲームの勝算を上げるために、ゴールに対して守備する努力が無いことを感知するために不正検出システムを利用することができる。多くの実施形態では、不正検出システムはハイブリッドゲームの動作を一時停止する。多くの実施形態では、不正検出システム、ギャンブルゲームを行う前に高くなった勝率にふさわしくないことを単にユーザに通知する。
【００７３】
特定の実施形態では、プレーヤーがＲＷＣをＥＭハイブリッドゲームに入れる際、(限定されるものではないが異なる色、大きさまたは数など)固定数の異なるボールがプレーヤーに提供される。各種ボールは賭け対象の特定のＲＷＣ額を伝え、その総額はＥＭハイブリッドゲームに投入されるＲＷＣ額に対応する。幾つかの実施形態では、１０ＲＷＣが賭けられると、５個のボールが提供され、そのうち３個のボールはＲＷＣのうち単一クレジットに対応する黄色であり得、１個は２ＲＷＣに対応する青色であり得、別のボールは５ＲＷＣに対応する赤色であり得る。プレーするためのボールを選択することにより、プレーヤーは賭けるギャンブル賭け金量を決定する。 
【００７４】
幾つかの実施形態では、ＥＭハイブリッドゲームにＲＷＣを入れた際に、プレーヤーはユーザインタフェースを介して、提供されるサッカーボールにわたってＲＷＣ配分を割り当てることができる。
【００７５】
幾つかの実施形態では、規定のサッカーボールに紐づけられたＲＷＣ額は固定であるが、プレーヤーに提供されるボールの数はＥＭハイブリッドゲームに参加するＲＷＣ額の機能として変更する。
【００７６】
多くの実施形態では、ボールの数、および各ボールまたはゴールされる際に消費されるボールに紐付けられたＲＷＣ額は、テーブルサッカー型のＥＭゲームをやり始める前にプレーヤーが設定することができる。
【００７７】
ＥＭハイブリッドゲームのテーブルサッカー型のＥＭゲーム部の様々な構成を上述したが、ＥＭハイブリッドゲームは、本発明の実施形態に係る特定のアプリケーションの要件に適切な任意の方法で動作するように構成することができる。トーナメントプレーにおけるＥＭハイブリッドゲームの動作を以下で詳述する。
【００７８】
トーナメントプレーの動作
多くの実施形態に従うＥＭハイブリッドゲームにより、プレーヤーは、ギャンブルゲームに参加しつつ、ＧＷＣを蓄積するために、エンターテイメントゲームで他のプレーヤーと共にトーナメントプレーに参加することができる。トーナメントプレーでは、特定のＥＭゲームの機能として、シングルプレーヤーモードまたはマルチプレーヤーモードでプレーヤーが機械と対戦することができ、プレーヤーが機械および／または他のプレーヤーと対戦することもできる。トーナメントは、ＥＭゲームの性質に応じて二人以上のプレーヤーによる同時プレー、または一人または大人数による非同期プレーを含むことができる。トーナメントは正式に予定されたイベント、または特定額のＧＷＣの獲得によって引き起こされる目的イベントとすることができる。 
【００７９】
幾つかの実施形態では、トーナメントは、参加費の支払い、ＧＷＣの支払いを必要としてもしなくてもよく、勝者に現金または賞金を支払っても支払わなくてもよい。トーナメント形式には、参加を続けるための追加参加費の支払いを必要とし得る敗者層を使用することを含め、幅広く変化を加えることができる。比較的バランスの取れた試合にするために、プレーヤーの腕前に関するトーナメントの上限価格または最低価格を確立することもできる。 
【００８０】
幾つかの実施形態では、トーナメントプレーは、複数のネットワーク接続されたＥＭハイブリッドゲームに亘る、プレーヤーによる同時直接対決競争を含むか、またはプレーヤーによる順次または同時の単独のＥＭハイブリッドゲーム競争を含むことができ、プレーヤーのスコアはトーナメントの終了時に手動または自動で比較される。プレーヤーは、トーナメント工程で競争相手のプロファイルに触れることができ、競争相手の「アイデンティティ」はプレーヤーの名前、アバターまたは他の規定キャラクタの形で知られる。
【００８１】
多くの実施形態では、トーナメントプレーは、ＥＭハイブリッドゲームにわたってエンターテイメントゲームの動作を追跡しながら、個々のＥＭゲームに接続された集中トーナメントサーバを用いて複数のＥＭハイブリッドゲームのネットワークに亘り開催することができる。代替的に、トーナメントは、トーナメントサーバによる中央制御の下、端末モードで動作する複数のＥＭハイブリッドゲームに照らして開催することができる。幾つかの実施形態では、トーナメントサーバの機能性はＲＷＥサーバ、ＧＷパトロン管理サーバ、ＧＷＥサーバまたはＥＧＳサーバ内に組み込まれる。それにより、ＥＭハイブリッドゲームのトーナメントは並行して、または順次行うことができる。幾つかの実施形態では、ＥＭハイブリッドゲームは、個々のプレーヤーの結果を格納する様々なメディアを使用して、それぞれがネットワーク接続されていない一または複数のＥＭハイブリッドゲームに亘るトーナメントをふくむことができ、個々のプレーヤーの結果は手動編集およびトーナメント勝者の証明のために提出される。
【００８２】
幾つかの実施形態では、トーナメントはトーナメント主催者により予定または目的に基づき設定することができる。他の実施形態では、トーナメントはレーヤーにより直接開催される。プレーヤーがトーナメントを開催する実施形態では、プレーヤーは、トーナメント主催者に制御されるガイドラインを使用して、またはより目的に沿ったやり方でトーナメントの規模、時間及び場所、規則、(ＧＷＣに関しては)参加費および(ＧＷＣに関しては)賞金を規定することができる。 
【００８３】
ＥＭハイブリッドゲームのトーナメントプレーの動作のための様々な構成を上述したが、ＥＭハイブリッドゲームは本発明の実施形態に係る特定のアプリケーションの要件に適切な任意の方法で動作するように構成することができる。インターネットによるＥＭハイブリッドゲームの動作を以下で詳述する。
【００８４】
インターネットによるＥＭハイブリッドゲームの動作
多くの実施形態に従うＥＭハイブリッドゲームは、インターネットなどのネットワーク越しに遠隔位置にあるＲＷＥ、ＧＷＥまたはＥＧＳに紐付けられた機能の実行を含むことができる。それにより、プレーヤーは、カジノまたは他の調整された局所にあるＥＭゲームと物理的にやりとりすることができるが、ＲＷＥ、ＧＷＥおよび／またはＥＧＳの実行は、インターネットまたは他のネットワークを介してローカルのＥＭゲームに安全に接続された一または複数のリモートサーバ上で行われ得る。それにより、陸ベースのカジノとネットワーク(インターネットなど)ベースのＥＭハイブリッドゲームとの注目すべき唯一の相違点は、陸ベースの動作の場合はプレーヤーがギャンブル操作位置にいるか、ネットワークまたはインターネットによる動作の場合はプレーヤーが自宅または他の配信場所にいるかということである。 
【００８５】
ＥＭハイブリッドゲームのインターネットによるＥＭハイブリッドゲームの動作の様々な構成を上述したが、ＥＭハイブリッドゲームは本発明の実施形態に係る特定のアプリケーションの要件に適切な任意の方法で動作するように構成することができる。ＥＭハイブリッドゲームのプレーヤーアカウントの管理を以下で述べる。
【００８６】
プレーヤーアカウントの管理
本発明の多くの実施形態に係るＥＭハイブリッドゲームは、個々のプレーヤーまたはプレーヤーグループ用のプレーヤーアカウントを用いて特定のプレーヤーの体験を管理することができる。多くの実施形態では、プレーヤーアカウントはＥＭハイブリッドゲームのＧＷＥにより一元管理することができ、(インターネットによるカジノまたはゲームプレーサイトを含む一または多様なプロパティにおよぶ)プロパティ固有、プロパティグループ固有、タイトル固有、またはゲーム製造業者固有とすることができる。プレーヤーアカウント管理も、よくあるプレーヤーカードまたは他のカジノ関連の識別スキームに関連付けることができる。多くの実施形態では、プレーヤーアカウントは、ＧＷパトロン管理サーバまたは他のリモートサーバにより管理される。
【００８７】
幾つかの実施形態では、各プレーヤーアカウントは一または複数のプロファイルを格納することができ、各プロファイルはプレーヤーのゲームアイデンティティ(すなわち、プレーヤーの名前)と、プレーヤーアカウントに紐づけられた属性を記録する。例えば、これは(限定されるものではないが)プレーヤーアカウントが所持するＧＷＣ額、該アカウントの現在のプレー状態(例えば、達したゲームレベル)またはプレーヤーの好みを含み得る。一般的に、ＲＷＣはプレーヤーアカウントレベルまで分類されないが、包括的なプレーヤーアカウントの一部として記憶されてもよい。また、プロファイルは一般的にゲーム種類に応じて固有であり、規定のプレーヤーアカウントはプレーされるゲーム種類毎に一または複数のプロファイルを含む。
【００８８】
種々の実施形態では、各プレーヤーアカウントはプロファイルを含むことができ、識別詳細は、（限定されるものではないが）名前、プロファイルのグラフィカル表現(例えば、プレーヤーが選択または生成したアバター)、またはプレーヤーアカウントに対しプロファイルをプレーヤーに関連付ける他の情報(例えば、プレーヤーの写真）を含むプロファイルに紐付けることができる。
【００８９】
幾つかの実施形態では、プレーヤーアカウントにより、プレーヤーはプレーヤーアカウントまたはプレーヤープロファイルレベルで互いにやりとりすることができる。幾つかの実施形態では、掲示板はメッセージを投稿するために支援され、一または複数のカジノ性質、ゲームの種類および／またはオンライン環境を補うことができる。
【００９０】
多くの実施形態では、プレーヤープロファイルは予約システムを支援し、プレーヤーは特定の日時でゲームを行うためにカジノのＥＭハイブリッドゲーム機を予約することができる。これは、映像または文書を介して行うことができ、個人またはグループがプレーする特定の物理位置を予約するように、一または複数のＥＭハイブリッドゲーム機を予約することができる。こうした予約は、予約が埋まっている際に払い戻されても戻されなくてもよい預金、またはＥＭハイブリッドゲームを予約するための最低限の支出投資など他の費用構造が伴っても伴わなくてもよい。予約はグループプレーの概念を支援するように設計することができ、個人またはグループは、問題となっている内在するＥＧＳのＥＭゲームの性質に応じて、直接対決の試合または得点による試合に関する目的のトーナメントを調整することができる。 
【００９１】
多くの実施形態では、予約はプレーヤーアカウントおよび／またはプレーヤープロファイルの関連で行われるか、および／またはカジノ環境内で使用されるプレーヤーカードまたは他のＩＤ機構を用いて個人に関連付けられる。予約システムの一部として、カジノまたは他の経営上の実体は特定のゲームを予定し、プレーヤーアカウントおよび／またはプロファイルの機能として、参加するようにプレーヤーを招待することができる。予約システム内のスケジュール機能は、その制御範囲で全ての予約を記録し、予約された使用期間手段として、事前予約なしのプレーヤーに特定のＥＭハイブリッドゲーム機を一般使用させないようにすることができる。適切に予約したプレーヤーのみがＥＭハイブリッドゲーム機にサインインして対象期間中に該ゲーム機を使用することができる。ＥＭハイブリッドゲーム機からプレーヤーを「締め出す」仕組みは、予約期間を越えてＥＭハイブリッドゲーム機に居座るプレーヤーを続行中のプレーから締め出すように利用することもできる。予約システムは「締め出す」のではなく、塞がったＥＭハイブリッドゲーム機から予約を別の空いているＥＭハイブリッドゲーム機に移し、適切なコネクション情報が対象のプレーヤーアカウントに紐付けられている場合は、後述する通信方法の一つを用いてこの変更をプレーヤーに通知するように構成することができる。
【００９２】
幾つかの実施形態では、予約システムは、（限定されるものではないが）非同期または直接対決の試合/トーナメントにおいて別のプレーヤーと競い合おうとするプレーヤーが、ゲーム環境にいないプレーヤーとの共謀を起こさないように、互いに隣り合って直接座らないようにするなど、ＥＭハイブリッドゲームプレーの公正を維持するために予約リクエストを監視することもできる。 
【００９３】
多くの実施形態では、予約システムにより、プレーヤーは(プレーヤープロファイルを用いて)特定のプレーヤーまたは匿名のプレーヤー(すなわち、公の招待または「挑戦」)を招待し、特定日時、またはゲームが非同期でプレーされる場合は特定の期間内で互いに競い合うこともできる。そのような挑戦はプレーヤー間に賭け金を生じさせることができ、賭け金はＧＷＣまたはＲＷＣの払戻金を含むことができる。システムはそのような「挑戦ゲーム」に対する招待を受入れ、挑戦に対するプレーヤーの振る舞いを監視し、ゲームの結果に従って必要に応じてＧＷＣまたはＲＷＣを収集および配分することができる。システムは、挑戦者が挑戦の性質を定める場合は目的の挑戦を、特定のゴール属性またはスコア属性が予め定められたメニューから挑戦者により選択された場合は予め定められた挑戦を支援することができる。 
【００９４】
多くの実施形態では、プレーヤープロファイルおよびアカウント管理システムはＧＷＣ市場も含み、プレーヤーはＧＷＣを消費して、カジノで展開されるＥＧＳゲームおよび／または自宅で使用されるゲーム版で使用される様々なゲーム内の属性、所有物または特性を取得することができる。幾つかの実施形態では、プレーヤーはＧＷＣを消費して、ポップショットバスケットボールのカジノ版でプレーヤープロファイルを用いて、使用するための追加時間を購入し、基本ゲームに対しバスケットを沈めるための追加の機会を得ることができる。さらに、プレーヤーはＧＷＣを使用して、（限定されるものではないが）カジノショップでのディスカウント、食事のディスカウントおよび無料ゲームプレーを含む、ゲーム環境以外で使用される様々なカジノ促進賞金または利益を購入することができる。
【００９５】
多くの実施形態では、プレーヤープロファイルおよびアカウント管理システムは、先に説明した前述の掲示板方法に加えて、(特定のアカウントを介して、またはプレーヤーレベルで)プレーヤーはプレーヤープロファイルを介しておよび／またはプレーヤーレベルで他のプレーヤーと通信することができ、カジノ(またはゲーム環境の管理者)もゲーム環境以外のプレーヤーと通信することができる。システムは、電子メールおよび／またはＳＭＳメッセージ、ｈｔｍｌ、携帯アプリ、および／またはテキストメッセージ、ボイスメールメッセージまたはプレーヤーが自身のアカウントに取付けた他の通信手段を用いて、プレーヤーにプッシュ通信することができる。これにより、（限定されるものではないが）ゲームプレーに対する特定の機会、新規の高スコア、行われたか、拒否または許可された挑戦、および予約状況などの通知をプレーヤーは受信することができる。システムは入力を受付けて、（限定されるものではないが）予約の設定、または挑戦の申し出、拒否もしくは許可などプレーヤーによるアカウントの管理を許可することもできる。
【００９６】
ＥＭハイブリッドゲームのプレーヤーアカウント管理のための様々な構成を上述したが、ＥＭハイブリッドゲームは本発明の実施形態に係る特定のアプリケーションの要件に適切な任意の方法で動作するように構成することができる。ＥＭハイブリッドゲームのためのスコアボードおよび標識を以下で述べる。
【００９７】
スコアボードおよび標識
本発明の多くの実施形態に係るＥＭハイブリッドゲームは、ハイブリッドゲームプレーを向上させるためにエンターテイメントゲームのＧＷＣスコアを追跡することができる。多くの実施形態では、ＥＭハイブリッドゲームは、プレーヤーが対象のゲーム（一または複数）に亘り高スコアを維持していれば、時間測定に基づいて現在高スコアのプレーヤーに追加ＧＷＣを発行することができる。同様に、エンターテイメントゲームのプレーヤーは、特定レベルに達した際のＧＷＣボーナスなどＧＷＣの蓄積に起因して追加利益を受け取ることもできる。さらに、スコアボードは、ＧＷＥおよびＧＷＥサーバを介して各ＥＭハイブリッドゲーム機に投稿することができ、および／またはカジノ内の一または複数のＥＭハイブリッドゲーム機に紐づけられた標識の一部として表示することができる。スコアボード上のプレーヤープロファイルおよび／またはアバターの持続性、並びに時間測定に基づくＧＷＣの蓄積は、カジノオペレータが設定したパラメータに従って継続する。幾つかの実施形態では、プレーヤーは、(限定されるものではないが２日または３０日など)一定期間プレーしない場合、またはプレーヤーが２４時間以上、直接対決の試合に対し別のプレーヤーからの二回以上の招待を拒絶する場合に、プレーヤーが離れるまで、プレーヤーはスコアボード上またはゲーム標識上に残存する。
【００９８】
多くの実施形態では、ＥＭハイブリッドゲームは、（限定されるものではないが）スコアボード上のプレーヤーが蓄積するＧＷＣの割合、ＧＷＣが蓄積できる期間、スコアボードを適用するＥＭハイブリッドゲーム機の数など、スコアボードを調整することにより管理することができる。ＥＭハイブリッドゲームはカジノオペレータにより管理し、より多くのプレーヤーがこれらのＥＭハイブリッドゲーム機を使用するように、プレーが少なくなってきたＥＭハイブリッドゲーム機のバンクに関するスコアボードについてＧＷＣの割合を上げることができる。非常非激しいゲームプレーを体験させるＥＭハイブリッドゲーム機のバンクは、スコアボード上のプレーヤーが蓄積するＧＷＣの割合が低いか、または蓄積が追加ゲームプレー無しに終了する前の短期間であるという特徴を有し得る。
【００９９】
ＥＭハイブリッドゲームのスコアボードまたは他の標識を実装する様々な構成を上述したが、ＥＭハイブリッドゲームは本発明の実施形態に係る特定のアプリケーションの要件に適切な任意の方法で動作するように構成することができる。ＥＭハイブリッドゲームのための二次的抽選を以下に述べる。
【０１００】
二次的抽選
本発明の多くの実施形態に係るＥＭハイブリッドゲームは、二次的抽選を実装することができ、これはＧＷＣおよび／またはＲＷＣ並びに／または他の賞金を参加プレーヤーに与えるランダムな抽選である。カジノオペレータまたはＥＭハイブリッドゲームの管理者が取った選択に基づいて、ＥＧＳにおけるプレーヤーによるプレーの事前に指定されたあるゴールを達成した機能として、プレーヤーは自動的に、リアルタイムまたは非リアルタイムな方法で参加する。これらのゴールは（限定されるものではないが）以下を含む：（ａ）特定のプレーヤープロファイルに関する特定レベルのＧＷＣが達成された、（ｂ）プレーヤーアカウント内の全プレーヤープロファイルに亘り特定のＧＷＣ額が積み立てられた、（ｃ）ゲームである功績を成し遂げた（例えば、１０個のバスケットボールを連続でリングに決めた）、（ｄ）規定閾値を上回る率でＧＷＣを獲得した。二次的抽選により、（限定されるものではないが）ＲＷＣ、ＧＷＣ、現金、商品、およびトーナメントプレー（限定されるものではないが、特別のギャンブル利益をもたらすゲームボールなど）を含むギャンブル環境内で使用されるＥＧＳ資産を含む任意の賞金形態を与えることができる。二次的抽選は、二次的抽選は無料にすることもできるので、ＧＷＣを消費して抽選への参加を購入することをプレーヤーに要求してもしなくてもよい。抽選は、ＧＷＣ閾値を超えた時点またはＧＷＣ参加費を支払った時点でプレーヤー毎に行われてよく、または単一の抽選参加を提示する現実または仮想「チケット」をプレーヤーに発行して行われてよく、該抽選は特定日時で行われる。二次的抽選はもっぱら抽出され賞金を与えられる特定のチャンスを持つプレーヤーのためのもであってよく、またはプレーヤーは抽出され賞金が与えられた一または複数の参加者とともに参加者のプール賭博金にしてもよい。 
【０１０１】
ＥＭハイブリッドゲームの二次的抽選のための様々な構成を上述したが、ＥＭハイブリッドゲームは本発明の実施形態に係る特定のアプリケーションの要件に適切な任意の方法で動作するように構成することができる。ＥＭハイブリッドゲームのユーザインタフェース管理を以下で述べる。
【０１０２】
ユーザインタフェース管理
本発明の多くの実施形態に係るＥＭハイブリッドゲームは、ＥＭハイブリッドゲームをプレー中のプレーヤーの現在のステータスについてプレーヤーの評価を可能とするユーザインタフェースを備えることができる。ユーザインタフェースは単一の物理装置(すなわち、フラットパネルディスプレイの一部分)に内在し得る表示装置および入力装置を備えることができ、または各主要サブシステムの概念的ディスプレイ(ＲＷＥ、ＧＷＥおよびＥＧＳ)毎に多数のディスプレイおよび入力装置から構成できる。
【０１０３】
多くの実施形態では、ＥＧＳゲームのステータスおよびスコアは物理的なディスプレイの（ソフトウェアにより生成された）ウィンドウに現れ、該ウィンドウはギャンブルゲームに関する情報から構成されるウィンドウ(このウィンドウもソフトウェアにより生成される)から構成される。双方のウィンドウが同一の物理的なディスプレイ内に明白である。(ＥＧＳゲームのステータスおよびスコアが現れる)ＧＷＥディスプレイウィンドウを構成するＲＷＥディスプレイは、（限定されるものではないが）クレジット数、現賭け金の大きさ、今回の賞金、前回のＲＷＥゲームプレーの結果、勝率、有効ボーナスまたは乗算を含む、ＲＷＥゲームに関する任意かつ全ての情報を提供し得る。ＧＷＥゲームのディスプレイウィンドウと構成されるＲＷＥゲームウィンドウとの境界は固定である必要はない。幾つかの実施形態では、ＲＷＥゲームのディスプレイウィンドウは動的なモード形態でＧＷＥゲームのディスプレイウィンドウに影響を与え、勝ちイベント、負けイベント、ジャックポットラウンドの参加、または注目すべき他の発生などＲＷＥギャンブルゲームのステータスにおける変化についてプレーヤーに注意を喚起する。この動的影響の包括的ではないリスト例は星形フラッシュ、膨張泡、素早いズームインまたは振動スクリーンであり得る。限定されるものではないが、ＥＭハイブリッドゲーム機にクレジットプレーヤーが所有するクレジット数など、前述の影響が、ＲＷＥゲームに関するプレーヤーの情報を隠すように機能する場合、ＧＷＥゲームのディスプレイウィンドウは典型的にＲＷＥゲームのディスプレイに影響を与えない。幾つかの実施形態では、ＲＷＥゲームのディスプレイの物理形状はＧＷＥゲームのディスプレイウィンドウを囲うフルフレームである必要はない。サイドバーなどＲＷＥゲームのディスプレイの任意の一部分とすることができ、直線形状である必要もない。 
【０１０４】
多くの実施形態では、エンターテイメントゲーム用ユーザインタフェースはＧＷＥにアクセスされて(限定されるものではないが、他のプレーヤーとの通信、トーナメントおよび／または促進提供に関するアナウンスおよび通知、並びに二次的抽選など)ＧＷＥ関連機能についてプレーヤーとやりとりする。しかし、これらのエンターテイメントゲーム用ユーザインタフェースの態様は常に提示される必要はない。エンターテイメントゲーム用ユーザインタフェースはＧＷＥに内在する規則により制御されて表示または非表示にすることができ、該規則はＥＧＳおよびＲＷＥゲーム並びにこれらのディスプレイの要件を考慮して、ゲームプレーに干渉しないようにすることができる。
【０１０５】
幾つかの実施形態では、限定されるものではないが、ユーザインタフェースが多用な装置に及ぶことができる場合など、エンターテイメントゲームまたはギャンブルゲームプレーに関するものとしてプレーヤーと通信するために、追加物理装置を使用することができる。プレーヤーに情報を伝えることに関し、これらの追加装置は、限定されるものではないがフラットパネルのディスプレイなど、コンピュータに通常紐づけられた従来の視覚ディスプレイおよび／または視覚通信などの形態を採用することができ、または電気機械装置にすることもできる。幾つかの実施形態では、ギャンブルゲーム情報は、ＬＥＤによる数字に関するディスプレイ、または電気機械構図(限定されるものではないが、ＲＷクレジットを示すために使用され得る電気機械メータ針、アナログ時計はＥＧＳゲームのプレーヤーのステータスを示し得、透明の管球はクレジットのステータス全体を視覚的に伝えるために一番下で空となり、一番上で満タンとなり得る)などを用いて、全体または部分的にプレーヤーに電τされ得る。多くの実施形態では、ユーザインタフェースは、ＧＷＥからＥＧＳを通って移されるのとは対照的に、ＧＷＥおよび／またはＥＧＳに直接接続することができる。
【０１０６】
多くの実施形態では、エンターテイメントゲームおよびギャンブルゲーム用ユーザインタフェースは複数の物理装置を備えることができる。エンターテイメントゲーム用ユーザインタフェースまたはギャンブルゲーム用ユーザインタフェースは、複数ディスプレイ、または(限定されるものではないが、振動性シェーカー、オーディオスピーカまたは閃光灯など)一または複数の電気機械装置を追加した単一ディスプレイを備えてもよい。
【０１０７】
ＥＭハイブリッドゲームのユーザインタフェース管理のための様々な構成を上述したが、ＥＭハイブリッドゲームは本発明の実施形態に係る特定のアプリケーションの要件に適切な任意の方法で動作するように構成することができる。ＥＭハイブリッドゲームの使用モードを以下で述べる。
【０１０８】
使用モード
本発明の多くの実施形態に係るＥＭハイブリッドゲームは、様々な動作モードで動作することができる。これらのモードは、（限定されるものではないが）スキルおよびランダムの組合せモード、ランダムのみモードおよびスキルのみモードを含むことができる。
【０１０９】
多くの実施形態では、ランダムのみモードにより、限定されるものではないが従来のスロットマシーンなどのギャンブルゲームとして動作するようにゲーム全体を切り替えることもできる。このモードはスキルゲームを含まず、慣習的なギャンブルゲーム体験を提供するために、(限定されるものではないが回転リールボタンなど)手動プレーによるトリガに応じて、ペイライン内のフルーツまたは他のオブジェクトなど、従来のエンターテイメントグラフィックが表示される。ギャンブルゲームは、一または複数のゲーム用ユーザインタフェース上に表示され得る。
【０１１０】
幾つかの実施形態では、スキルのみモードにより、エンターテイメントゲームのみとして動作するようにゲーム全体を切り替えることができる。幾つかの実施形態では、このモードで実行するＥＭハイブリッドゲームは、従来のビデオアーケードゲームとして動作することができる。ＲＷＥシステムが休止することにより、ＥＧＳおよびＥＧＳに付随するＥＭゲームにより提供されることを除いてランダム性が無くなり、ＧＷＥおよびＥＧＳはプレーヤーにギャンブルではないゲーム体験を提供するように連携動作する。スキルのみモードで実行するＥＭゲームは、(限定されるものではないが、金銭により一定のゲーム時間、バスケットボールまたは他のメトリックを購入するなど)従来のビデオアーケードモードにおいてゲームを行うための金銭を課してもよい。このモードでは、プレーヤーはＲＷＣを賭けることはできないが、他のプレーヤーに対して賭けるゲームプレーの結果に関する賭けること、および／または完封がテーブルサッカーの直接対決試合となる場合など、ゲームの最終的な結果またはゲーム終了時における他のゲーム関連特性に関する賭博場などに対しＧＷＣを賭けることができる。同様に、ＥＭハイブリッドゲーム管理者はさらに、トーナメントを選択運営し、積み立てられたＧＷＣ額に基づいてプレーヤーに賞金を与えてもよい。
【０１１１】
多くの実施形態では、スキルおよびランダムの組合せモードはエンターテイメントゲームおよびギャンブルゲームを含むネイティブモードである。このネイティブモードでは、ＲＷＥの役割は、ＧＷＥ、ＥＧＳおよびＥＭゲームに委ねられるプレーヤーエンターテイメント機能を用いてギャンブルゲームのためのオペレーティングシステムを提供することである。
【０１１２】
ＥＭハイブリッドゲームの使用モードに関する様々な構成を上述したが、ＥＭハイブリッドゲームは、本発明の実施形態に係る特定のアプリケーションの要件に適切な任意の方法で動作するように構成することができる。処理装置 for ＥＭハイブリッドゲームのための処理装置を後述する。
【０１１３】
処理装置
任意の種々の処理装置は、本発明の実施形態に係るＥＭハイブリッドゲームの様々なコンポーネントを提供することができる。幾つかの実施形態では、これらの処理装置は、限定されるものではないが、ゲーム機、汎用コンピュータ、コンピューティングデバイスおよび／またはコントローラを備えることができる。本発明の一実施形態に係るＥＭハイブリッドゲームを実装するように構成された処理装置を図４に示す。処理装置４００において、プロセッサ４０４は、バス４２８によりメモリ４０６に連結される。プロセッサ４０４は、記憶コントローラ４１８を用いてシステムバス４２８からＩ／Ｏバス４２６にプロセッサ実行可能命令４１２およびデータ４１０を記憶する記憶装置４０８など非一次的プロセッサ可読記憶媒体にも連結される。プロセッサ４０４は、プロセッサを本明細書で説明した他の処理装置やネットワークに接続させるために使用され得る一または複数のインタフェースにも連結される。プロセッサ４０４は、限定されるものではないが、プレーヤーが処理装置とやり取りを行う際にプレーヤーからの入力を受信するために使用し得るキーボード、キーパッド、フットパッド、タッチスクリーンおよび／またはトラックボール、並びにオーディオ入力装置、動きセンサ、動き捕獲装置など非接触型装置を含む触覚装置など、プレーヤー入力装置４１４にもバスを介して連結される。プロセッサ４０４は、システムバス４２８、Ｉ／Ｏバス４２６、入力コントローラ４２０を介してプレーヤー入力装置４１４に接続される。プロセッサ４０４は、プレーヤーが処理装置とやり取りする際にプレーヤーが感知できる出力を処理装置が生成するために使用する（限定されるものではないが）視覚出力装置、オーディオ出力装置および／または触覚出力装置などプレーヤー出力装置４１６にも、バスを介して連結される。幾つかの実施形態では、プロセッサは、（限定されるものではないが）表示画面、照明パネルおよび／または照明装置など視覚出力装置に連結される。多くの実施形態では、プロセッサは、（限定されるものではないが）スピーカーおよび／または音増幅器などオーディオ出力装置に連結される。多くの実施形態では、プロセッサは、触覚出力装置などの振動器および／またはマニピュレータに連結される。プロセッサは、システムバス４２８、Ｉ／Ｏバス４２６、出力コントローラ４２２を介して出力装置に接続される。プロセッサ４０４は、システムバス４２８、Ｉ／Ｏバス４２６、通信コントローラ４２４を介して通信インタフェース４０２に接続することもできる。
【０１１４】
種々の実施形態では、プロセッサは、記憶装置からメモリに命令およびデータをロードし、該命令を実行し、データを操作することで、本明細書で説明したゲームシステムのコンポーネントの様々な態様および特徴を実装する。プロセッサは、本明細書で説明したプレーヤー、カジノオペレータおよび／または所有者のためのユーザインタフェースを作成および操作するための命令およびデータに従ってユーザ入力装置およびユーザ出力装置を使用する。
【０１１５】
処理装置は、プロセッサと、ハードウェアコンポーネントにより記憶され実行される命令とから構築されるものとして本明細書で説明したが、処理装置は、多くの実施形態に従って、ハードウェアコンポーネントのみから組み立てることができる。さらに、記憶装置はバスを介してプロセッサに連結されるように説明したが、処理装置の分野の当業者は、記憶装置が、限定されるものではないがＵＳＢメモリ装置、光学ＣＤ  ＲＯＭ、テープまたはディスクなど磁気メディアなど取り外し可能なメディアを含むことができることを理解するだろう。また、インタフェースの一つを介して、またはネットワーク越しに記憶装置にアクセスすることができる。さらに、任意のユーザ入力装置またはユーザ出力装置は、インタフェースの一つを介して、またはネットワーク越しにプロセッサに連結することができる。さらに、単一のプロセッサを説明したが、当業者はプロセッサがコントローラまたは他のコンピューティングデバイスまたは別個のコンピュータとすることができるとともに、複数のプロセッサまたはコンピューティングデバイスから組み立てることもできることを理解するだろう。
【０１１６】
多くの実施形態では、本明細書で説明した任意のＲＷＥ、ＧＷＥおよびＥＧＳは、任意の組合せで、専用型、共有型または分散型であろうとなかろうと、複数の処理装置上に実装することができ、または単一の処理装置上で実装され得る。さらに、本明細書で説明したＥＭハイブリッドゲームのプロセスの特定の態様および特徴はＲＷＥ、ＧＷＥまたはＥＧＳに起因したが、これらの態様および特徴はハイブリッド形態で実装され得、任意の態様および特徴が本発明の範囲および趣旨から逸脱することなくＥＭハイブリッドゲーム内の任意のＲＷＥ、ＧＷＥまたはＥＧＳにより実行され得る。 
【０１１７】
先に説明したことは、本発明の多くの特定の実施形態を含むが、本発明の範囲を限定するものとしてではなく、むしろ、一実施形態の一例として解釈されるべきである。それ故、本発明は本発明の範囲および趣旨から逸脱することなく具体的に説明した以外の別のやり方で実施でき得ると理解されるべきである。従って、本発明の実施形態は、あらゆる点で例示的であり限定的ではないとみなされるべきである。
【図１Ａ】
0005974100.tif 000002
【図１Ｂ】
0005974100.tif 000003
【図２Ａ】
0005974100.tif 000004
【図２Ｂ】
0005974100.tif 000005
【図３】
0005974100.tif 000006
【図４】
0005974100.tif 000007